(57)【要約】【課題】自動車灯火器の発光色で、合格又は不合格の境界色を正確に表示できる自動車灯火用色基準表示装置を提供する。【解決手段】面状に配置され、異なる色を発光する複数の発光素子１３〜１９を有する発光装置１０と、発光装置１０を収容する収容部２４と、収容部２４に収容された発光装置１０から発せられた光を自身の外部に放出するための開口部２２を有する筐体２０と、発光装置１０の発光素子１３〜１９の前面で、筐体２０の開口部２２近傍に設けられる拡散板セット３０と、発行装置１０の周囲に設けられる反射板セット４０と、発光装置１０の複数の発光素子１３〜１９を発光させるための電気信号を送信する発光制御部５０と、を備える自動車灯火用色基準表示装置とした。【選択図】図１
2011095113.tif 000002
【特許請求の範囲】
【請求項１】
面状に配置され、異なる色を発光する複数種類の発光素子を有する発光装置と、
前記発光装置を収容する収容部、及び該収容部に連通する開口部を有する筐体と、
前記発光装置の発光素子の前面に設けられる拡散板と、
前記発光装置の前記複数種類の発光素子の発光量を制御する発光制御部と、
を備えることを特徴とする自動車灯火用色基準表示装置。
【請求項２】
前記発光装置は、前記発光素子として、赤色を発光する赤色発光素子と、橙色を発光する橙色発光素子と、緑色を発光する緑色発光素子と、白色を発光する白色発光素子を含んで構成されていることを特徴とする、
請求項１に記載の自動車灯火用色基準表示装置。
【請求項３】
前記発光素子の前面には、前記拡散板が複数枚積層されていることを特徴とする、
請求項１又は２に記載の自動車灯火用色基準表示装置。
【請求項４】
複数枚の前記拡散板は、前記筐体の開口部方向に所定の間隔を明けて、設けられていることを特徴とする、
請求項１乃至３のいずれか１項に記載の自動車灯火用色基準表示装置。
【請求項５】
前記複数枚の拡散板のうち、少なくとも１枚は、前記発光素子の発光方向に凸となるように湾曲していることを特徴とする、
請求項１乃至４のいずれか１項に記載の自動車灯火用色基準表示装置。
【請求項６】
前記発光装置から前記筐体の開口部方向に向かって広がるように傾けて設けられている反射板をさらに備えていることを特徴とする、
請求項１乃至５のいずれか１項に記載の自動車灯火用色基準表示装置。
【請求項７】
前記赤色発光素子、前記橙色発光素子、前記緑色発光素子、前記白色発光素子は、所定の面積の中で均等に配置されていることを特徴とする、
請求項１乃至６のいずれか１項に記載の自動車灯火用色基準表示装置。
【請求項８】
前記赤色発光素子が発する光の色度座標は、ｘ＝０．６５〜０．７５、ｙ＝０．２５〜０．３５の範囲であり、前記橙色発光素子が発する光の色度座標は、ｘ＝０．５３〜０．６３、ｙ＝０．３６〜０．４６の範囲であり、前記緑色発光素子が発する光の色度座標は、ｘ＝０．１１〜０．２１、ｙ＝０．６２〜０．７２の範囲であり、前記白色発光素子が発する光の色度座標は、ｘ＝０．２５〜０．３５、ｙ＝０．２７〜０．３７の範囲であることを特徴とする、
請求項１乃至７のいずれか１項に記載の自動車灯火用色基準表示装置。
【請求項９】
前記発光素子は、発光ダイオードであることを特徴とする、
請求項１乃至８のいずれか１項に記載の自動車灯火用色基準表示装置。
【請求項１０】
前記発光装置に発光させる色を設定するための設定画面を表示する表示装置と、
前記設定画面で設定された色に対応する制御データを前記発光装置に送信する制御部と、
を備えることを特徴とする、
請求項１乃至９のいずれか１項に記載の自動車灯火用色基準表示装置。
【請求項１１】
前記設定画面は、少なくともＣＩＥ色度図及び灯火器の合否範囲を表示し、
前記ＣＩＥ色度図の中から任意の色を選択する選択手段を更に備え、
前記制御部は、前記選択手段により選択された任意の色に対応する制御データを前記発光装置に送信することを特徴とする、
請求項１０に記載の自動車灯火用色基準表示装置。
【発明の詳細な説明】
【技術分野】
【０００１】
本発明は、任意の色の光を正確に表示できる発光装置の分野に関する。
【背景技術】
【０００２】
従来、自動車検査場等での自動車用灯火器（以下、灯火器と言う）の検査において、灯火器の発行色（色度）は、自動車検査官が目視で主観的に判断している。また、自動車検査の研修会では、自動車検査官は、色紙などを利用した灯火器の色サンプルにより色度の基準を体感して学習するのが通例であった。
【発明の概要】
【発明が解決しようとする課題】
【０００３】
しかし、色紙などを利用した色サンプルでは、実際の灯火器の照明と異なるので、結局、自動車検査官の主観で合否判定されるという問題があった。
【０００４】
本発明は、斯かる実情に鑑み、自動車灯火器の合格又は不合格の境界色を正確に表示できる自動車灯火用色基準表示装置を提供しようとするものである。
【課題を解決するための手段】
【０００５】
本発明者の鋭意研究により、上記目的は以下の手段によって達成される。
【０００６】
即ち、上記目的を達成する本発明は、面状に配置され、異なる色を発光する複数種類の発光素子を有する発光装置と、前記発光装置を収容する収容部、及び該収容部に連通する開口部を有する筐体と、前記発光装置の発光素子の前面に設けられる拡散板と、前記発光装置の前記複数種類の発光素子の発光量を制御する発光制御部と、を備えることを特徴とする自動車灯火用色基準表示装置である。
【０００７】
また、上記目的を達成する、自動車灯火用色基準表示装置は、前記発光装置は、前記発光素子として、赤色を発光する赤色発光素子と、橙色を発光する橙色発光素子と、緑色を発光する緑色発光素子と、白色を発光する白色発光素子を含んで構成されていることを特徴とする。
【０００８】
また、上記目的を達成する、自動車灯火用色基準表示装置は、前記発光素子の前面には、前記拡散板が複数枚積層されていることを特徴とする。
【０００９】
また、上記目的を達成する、自動車灯火用色基準表示装置は、複数枚の前記拡散板は、前記筐体の開口部方向に所定の間隔を明けて、設けられていることを特徴とする。
【００１０】
また、上記目的を達成する、自動車灯火用色基準表示装置は、前記複数枚の拡散板のうち、少なくとも１枚は、前記発光素子の発光方向に凸となるように湾曲していることを特徴とする。
【００１１】
また、上記目的を達成する、自動車灯火用色基準表示装置は、前記発光装置から前記筐体の開口部方向に向かって広がるように傾けて設けられている反射板をさらに備えていることを特徴とする。
【００１２】
また、上記目的を達成する、自動車灯火用色基準表示装置は、前記赤色発光素子、前記橙色発光素子、前記緑色発光素子、前記白色発光素子は、所定の面積の中で均等に配置されていることを特徴とする。
【００１３】
また、上記目的を達成する、自動車灯火用色基準表示装置は、前記赤色発光素子が発する光の色度座標は、ｘ＝０．６５〜０．７５、ｙ＝０．２５〜０．３５の範囲であり、前記橙色発光素子が発する光の色度座標は、ｘ＝０．５３〜０．６３、ｙ＝０．３６〜０．４６の範囲であり、前記緑色発光素子が発する光の色度座標は、ｘ＝０．１１〜０．２１、ｙ＝０．６２〜０．７２の範囲であり、前記白色発光素子が発する光の色度座標は、ｘ＝０．２５〜０．３５、ｙ＝０．２７〜０．３７の範囲であることを特徴とする。
【００１４】
また、上記目的を達成する、自動車灯火用色基準表示装置は、前記発光素子は、発光ダイオードであることを特徴とする。
また、上記目的を達成する、自動車灯火用色基準表示装置は、前記発光装置に発光させる色を設定するための設定画面を表示する表示装置と、前記設定画面で設定された色に対応する制御データを前記発光装置に送信する制御部と、を備えることを特徴とする。
【００１５】
また、上記目的を達成する、自動車灯火用色基準表示装置は、前記設定画面は、少なくともＣＩＥ色度図及び灯火器の合否範囲を表示し、前記ＣＩＥ色度図の中から任意の色を選択する選択手段を更に備え、前記制御部は、前記選択手段により選択された任意の色に対応する制御データを前記発光装置に送信することを特徴とする。
【発明の効果】
【００１６】
自動車灯火器の合格又は不合格の境界色を正確に表示できる自動車灯火用色基準表示装置を提供できるという優れた効果を奏し得る。
【図面の簡単な説明】
【００１７】
【図１】（ａ）本発明の第１実施形態に係る自動車灯火用色基準表示装置の平面から見た断面図であり、（ｂ）同自動車灯火用色基準表示装置の右側面から見た断面図であり、（ｃ）同自動車灯火用色基準表示装置の正面から見た断面図である。
【図２】同自動車灯火用色基準表示装置のシステム構成図である。
【図３】（ａ）ＣＩＥ色度図に対する、赤色ＬＥＤの発光色の再現域であり、（ｂ）ＣＩＥ色度図に対する、橙色ＬＥＤの発光色の再現域であり、（ｃ）ＣＩＥ色度図に対する、緑色ＬＥＤの発光色の再現域であり、（ｄ）ＣＩＥ色度図に対する、白色ＬＥＤの発光色の再現域である。
【図４】ＣＩＥ色度図である。
【図５】自動車灯火用色基準表示装置が発光可能な色度範囲を示す図である。
【図６】各色ＬＥＤが表現可能な色度範囲を示す図である。
【図７】（ａ）（ｂ）各色ＬＥＤの他の配置方法である。
【図８】自動車灯火用色基準表示装置のＬＥＤ制御の流れを示すフロー図である。
【図９】液晶表示装置に表示される発光色設定画面の一例である。
【図１０】発光色の設定方法を示すフロー図である。
【図１１】（ａ）本発明の第２実施形態に係る自動車灯火用色基準表示装置の平面から見た断面図であり、（ｂ）同自動車灯火用色基準表示装置の右側面から見た断面図であり、（ｃ）同自動車灯火用色基準表示装置の正面から見た断面図である。
【発明を実施するための形態】
【００１８】
以下、本発明の実施形態に係る自動車灯火用色基準表示装置の構造について、図１、２を用いて説明する。
【００１９】
自動車灯火用色基準表示装置（以下、色基準表示装置１と言う）は、発光装置１０と、筐体２０と、拡散板セット３０と、反射板セット４０と、発光制御部５０を有して構成されている。また、発光制御部５０には、コンピュータ１００が接続されている。コンピュータ１００は、入力された設定値に基づいて発光制御部５０に制御データなどを送信する。なお、コンピュータ１００には、液晶表示装置１２０が接続されているので、操作者は、発光色の設定値を目で見ながら容易に入力できる。また、操作者は、液晶表示装置１２０に表示された色度図を視認しながら、発光色を設定することができる。
【００２０】
発光装置１０は、プリント基板１１と、プリント基板１１上に電気的に接続された複数のＬＥＤ群（Ｌｉｇｈｔ  Ｅｍｉｔｔｉｎｇ  Ｄｉｏｄｅ（発光ダイオード）群）１２から構成されている。詳細に、発光装置１０のＬＥＤ群１２は、赤色ＬＥＤ１３と、橙色ＬＥＤ１５と、緑色ＬＥＤ１７と、白色ＬＥＤ１９をそれぞれ複数個（例えば、各１０個ずつ）配置して構成されている。赤色ＬＥＤ１３、橙色ＬＥＤ１５、緑色ＬＥＤ１７、白色ＬＥＤ１９は、それぞれ、赤色、橙色、緑色、白色の光を発することができる。また、赤色ＬＥＤ１３、橙色ＬＥＤ１５、緑色ＬＥＤ１７、白色ＬＥＤ１９は、プリント基板１１に面状に均等配置され、後述する発光制御部５０により、この４色のＬＥＤグループ毎に光の強さを多段階（例えば、１００段階）に調整できるようになっている。
【００２１】
図１（ａ）及び図３に示される様に、４色のＬＥＤ１３〜１９の１つ１つが方形又は菱形の頂点となるように配置されている。なお、本実施形態では、４色のＬＥＤ１３〜１９は菱形状に配置されている。この菱形状に配置された４色のＬＥＤ１３〜１９の１セットが基本ユニットＳとなり、基本ユニットＳをプリント基板１１上に面状態で複数配置することで、ＬＥＤ群１２が形成される。
【００２２】
具体的には、４色のＬＥＤ１３〜１９からなる基本ユニットＳは、図３に示されるように、赤色ＬＥＤ１３と白色ＬＥＤ１９が対角に位置するように配置され、橙色ＬＥＤ１５と緑色ＬＥＤ１７が対角に位置するように配置されている。つまり、異なる色のＬＥＤが対角に位置するように配置され、４つのＬＥＤを順番に結んだ場合に１つの菱形を形成するようになっている。このように、４色のＬＥＤからなる基本ユニットＳを、縦横に複数ユニット配置し、複数の基本ユニットＳの色のグループごとに光の強さを制御することで、任意の境界色を表現することができる。なお、基本ユニットＳのＬＥＤの配置形状は、上記のように菱形に限定されるものではなく、上述したように方形等でも好ましい。また、５色又は６色のＬＥＤ等を使用する場合には、基本ユニットを５角形又は６角形に配置しても好ましい。
【００２３】
ここで、ＣＩＥ（Ｃｏｍｍｉｓｓｉｏｎ  Ｉｎｔｅｒｎａｔｉｏｎａｌ  ｄｅ  ｌ`Ｅｃｌａｉｒａｇｅ（国際照明委員会））色度図について説明する。ＣＩＥ色度図とは、図４に示されるように、光のスペクトルをｘ、ｙの座標で表したものである。各波長の光を人間の目がどの程度感じるかという値をグラフにすると、等色関数と呼ばれる曲線になる。別の言葉で定義すると、ＣＩＥで定められた等エネルギースペクトルに対する人間の目の感度をスペクトル刺激値と言い、この感度曲線を等色関数と言う。
【００２４】
等色関数は、ｘ（λ)、ｙ（λ）、ｚ（λ）によって表すことができる。ここで、ｘ（λ)は赤色の等色関数、ｙ（λ）は緑色の等色関数、ｚ（λ）は青色の等色関数を表している。この等色関数を用いて、三刺激値Ｘ、Ｙ、Ｚは、次の式によって求められる。
【数１】
2011095113.tif 000003
【００２５】
ここで、Ｓ（λ）は色の表示に用いる標準の光の分光分布、Ｒ（λ）は分光立体角反射率を表している。
【００２６】
さらに、上記の三刺激値Ｘ、Ｙ、Ｚから、ＸＹＺ表色系では色度座標ｘ、ｙ、ｚは次の式によって求められる。
【数２】
2011095113.tif 000004
【００２７】
上記でｘ＋ｙ＋ｚ＝１となるので、一般にｚを省略して、ｘ、ｙによる直交座標によって描かれた色度座標の曲線（色度曲線）をＣＩＥ色度図と言う。人間の目に見える、ほとんど全ての色はＣＩＥ色度図で表現することができるが、いくつか代表となる色の概略の位置を図４の中に示す。
【００２８】
図３に戻って、同図（ａ）は、赤色ＬＥＤ１３のみが発光できる赤色の再現域をＣＩＥ色度図に示している。赤色ＬＥＤ１３が発光できる赤色の色度座標は、ｘ＝０．６５〜０．７５、ｙ＝０．２５〜０．３５の範囲（同図（ａ）の斜線で示す発光可能範囲Ｔ）である。なお、本実施形態では、赤色ＬＥＤ１３が発光する赤色の代表の色度座標Ｒは、ｘ＝０．７０３、ｙ＝０．２９７とし、同図（ａ）の黒点で表す。
【００２９】
また、図３（ｂ）は、橙色ＬＥＤ１５のみが発光できる橙色の再現域をＣＩＥ色度図に示している。橙色ＬＥＤ１５が発光できる橙色の色度座標は、ｘ＝０．５３〜０．６３、ｙ＝０．３６〜０．４６の範囲（同図（ｂ）の斜線で示す発光可能範囲Ｕ）である。なお、本実施形態では、橙色ＬＥＤ１５が発光する橙色の代表の色度座標Ｙは、ｘ＝０．５８４、ｙ＝０．４１６とし、同図（ｂ）の黒点で表す。
【００３０】
図３（ｃ）は、緑色ＬＥＤ１７のみが発光できる緑色の再現域をＣＩＥ色度図に示している。緑色ＬＥＤ１７が発光できる緑色の色度座標は、ｘ＝０．１１〜０．２１、ｙ＝０．６２〜０．７２の範囲（同図（ｃ）の斜線で示す発光可能範囲Ｖ）である。なお、本実施形態では、緑色ＬＥＤ１７が発光する緑色の代表の色度座標Ｇは、ｘ＝０．１６３、ｙ＝０．６６９とし、同図（ｃ）の黒点で表す。
【００３１】
図３（ｄ）は、白色ＬＥＤ１９のみが発光できる白色の再現域をＣＩＥ色度図に示している。白色ＬＥＤ１９が発光できる白色の色度座標は、ｘ＝０．２５〜０．３５、ｙ＝０．２７〜０．３７の範囲（同図（ｄ）の斜線で示す発光可能範囲Ｗ）である。なお、本実施形態では、白色ＬＥＤ１９が発光する白色の代表の色度座標Ｗは、ｘ＝０．３０３、ｙ＝０．３２０とし、同図（ｄ）の黒点で表すことができる。
【００３２】
上記の４色のＬＥＤ１３〜１９の色度座標（各色の代表値）を順番に結ぶと、図５に示されるように、４色のＬＥＤ１３〜１９の色度図（発色可能範囲Ｋ）が求められる。つまり、色基準表示装置１は、４色のＬＥＤ１３〜１９をどのように発光するかを決定するとともに、発光する光の強さを調整して発光色を混合することにより、図５に示される色度図の範囲内の任意の境界色を再現できるようになっている。なお、色基準表示装置１は、４色のＬＥＤ１３〜１９で定められる発色可能範囲Ｋから外れた色を表現することができない。
【００３３】
一般に、灯火器の検査は、前照灯（ヘッドライト）、尾灯（テールライト）、方向指示器（ウィンカー）などの灯火器（ライト）の発光色等の合否について行われる。前照灯、尾灯や方向指示器等の灯火器は、それぞれ白色、赤色、橙（黄）色が基本色となっている。したがって、自動車検査官の研修等で使用される色基準表示装置１は、これらの色の境界色を含み境界の外側の色（外れた色）まで発色できるものである必要がある。
【００３４】
図５には、色基準表示装置１の発色可能範囲Ｋと共に、前照灯（ヘッドライト）により発光される白色の合格範囲を白色合格範囲Ｍ、尾灯（テールランプ）により発光される赤色の合格範囲を赤色合格範囲Ｎ、方向指示器（ウィンカー）により発光される橙色の合格範囲を橙色合格範囲Ｐとして示されている。
【００３５】
図５、６に示されるように、前照灯の白色合格範囲Ｍは、白色から橙色に近い範囲にまで及んでいるのが分かる。つまり、前照灯の白色は、白色から橙色に近い色までが合格範囲となっており、前照灯の検査において白色と橙色の境界（限度）部分の判断が特に困難になる。例えば、発光色Ｗ１は、多少黄色味かかっているが、前照灯の白色合格範囲Ｍ内の色であるので合格となる。また、発光色Ｗ２は、橙色にかなり近い色となるが、前照灯の白色合格範囲Ｍ内の色であるのでこれも合格となる。一方、発光色Ｗ３は、橙色にかなり近く、前照灯の白色合格範囲Ｍから外れているので、不合格となる。発光色Ｗ４についても同様で、発光色Ｗ４は、白色（僅かに緑が含まれる）に近い色であるが、前照灯の白色合格範囲Ｍから外れており不合格となる。
【００３６】
尾灯の赤色合格範囲Ｎは、図５に示されるように、赤色から橙色に近い色までが合格範囲となっている。例えば、発光色Ｒ１は、赤色と橙色の中間の色であるが、尾灯の赤色合格範囲Ｎ内の色であるので合格となる。また、発光色Ｒ２もＲ１と同様に、赤色と橙色の中間の色であるが、発光色Ｒ１よりも橙色に近く、尾灯の赤色合格範囲Ｎから外れており、不合格となる。
【００３７】
方向指示器の橙色合格範囲Ｐは、図５に示されるように、橙色から赤色に近い色までが合格範囲となっている。例えば、発光色Ｙ１は、橙色と赤色の中間の色であるが、橙色合格範囲Ｐ内の色であるので合格となる。発光色Ｙ２もＹ１と同様に、橙色と赤色の中間の色であるが、発光色Ｙ１よりも赤色に近く、橙色合格範囲Ｐから外れており、不合格となる。
【００３８】
上述したように、各色ＬＥＤ１３〜１９により発光可能な発色可能範囲Ｋは、白色合格範囲Ｍ、赤色合格範囲Ｎ、橙色合格範囲Ｐを含むとともに、各範囲から外れている外側の色まで発光することができるようになっている。つまり、色基準表示装置１は、各色ＬＥＤ１３〜１９の明るさを個別に制御することにより、灯火器の検査において検査官の主観的な判断に頼らざるを得ない白色と橙色、赤色と橙色の境界色（合格範囲内の色と、僅かに不合格の色の間の色）を発色することができるようになっている。これによって、自動車検査官は、色基準表示装置１により表示された上記の境界色を視認することによって、灯下器の発光色の合否判断の研修を効率的に行うことができる。なお、白色合格範囲Ｍの中で、色基準表示装置１の発色可能範囲Ｋに含まれない白色発色不能範囲Ｍ１は、通常、検査官が不合格の白色であると、目視で直ぐに判断できる色の範囲であり、検査で特に判断が難しい境界色として表示する必要性が低い範囲である。また、赤色合格範囲Ｎの中で、色基準表示装置１の発色可能範囲Ｋに含まれない赤色発色不能範囲Ｎ１も同様に、検査官が不合格の赤色であると、目視で直ぐに判断ができる色の範囲であり、検査で特に判断が難しい境界色として表示する必要性が低い範囲である。
【００３９】
本実施形態における色基準表示装置１は、上述した自動車灯火器の白色合格範囲Ｍ、赤色合格範囲Ｎ及び橙色合格範囲Ｐの境界色を正確に再現することを目的としている。そこで、本実施形態では、上記のように、赤色ＬＥＤ１３は、ｘ＝０．６５〜０．７５、ｙ＝０．２５〜０．３５（代表値として、ｘ＝０．７０３、ｙ＝０．２９７）、橙色ＬＥＤ１５は、ｘ＝０．５３〜０．６３、ｙ＝０．３６〜０．４６（代表値として、ｘ＝０．５８４、ｙ＝０．４１６）、緑色ＬＥＤ１７は、ｘ＝０．１１〜０．２１、ｙ＝０．６２〜０．７２（代表値として、ｘ＝０．１６３、ｙ＝０．６６９）、白色ＬＥＤ１９は、ｘ＝０．２５〜０．３５、ｙ＝０．２７〜０．３７（代表値として、ｘ＝０．３０３、ｙ＝０．３２０）としている。これによって、色基準表示装置１は、上記の色度図で表される赤色ＬＥＤ１３、橙色ＬＥＤ１５、緑色ＬＥＤ１７、白色ＬＥＤ１９の光の強さを調整し、４色を混合することにより、上記の各合格範囲の境界色を表示できるようにしている。
【００４０】
例えば、４色のＬＥＤ基本ユニットＳの中で、白色ＬＥＤ１９がない場合、色基準表示装置１の発色可能範囲Ｋは、図６（ａ）に示されるようになる。つまり、色基準表示装置１は、白色合格範囲Ｍの境界色がほとんど表現できないことが分かる。また、緑色ＬＥＤ１７がない場合、色基準表示装置１の発色可能範囲Ｋは、図６（ｂ）に示されるようになる。つまり、色基準表示装置１は、白色合格範囲Ｍと橙色合格範囲Ｐの境界色の一部が表現できなくなる。また、他の色がない場合も同様で、例えば、赤色ＬＥＤ１３がない場合、色基準表示装置１の発色可能範囲Ｋは、図６（ｃ）に示されるようになる。つまり、色基準表示装置１は、赤色合格範囲Ｎは全く表示できず、橙色合格範囲Ｐの境界色の一部が表現できなくなる。橙色ＬＥＤ１５がない場合、色基準表示装置１の発色可能範囲Ｋは、図６（ｄ）に示されるようになる。つまり、色基準表示装置１は、橙色合格範囲Ｐの境界色の一部が表現できなくなる。したがって、上記のように、赤色ＬＥＤ１３、橙色ＬＥＤ１５、緑色ＬＥＤ１７、白色ＬＥＤ１９のいずれか１色がない場合、白色合格範囲Ｍ、赤色合格範囲Ｍ、橙色合格範囲Ｎの中で表現できない境界色がでてきてしまう。
【００４１】
なお、上記の色に加えて、例えば、青色ＬＥＤ等を加えて５色のＬＥＤを制御するようにしても好ましい。しかし、青色は、自動車灯火器の合否が分かりやすく、自動車検査官の主観的な判断のバラツキが少ないため、上記の赤色と橙色、白色と橙色の境界色に比べ、境界色として表現しなければならない必要性が比較的低い。つまり、自動車灯火器において、特に主観的な判断が難しい、赤色と橙色、白色と橙色の境界色を表現するには、本実施形態で示されるように、赤色ＬＥＤ１３、橙色ＬＥＤ１５、緑色ＬＥＤ１７、白色ＬＥＤ１９の４色のＬＥＤをそれぞれ制御して、４色を混合することにより生成するのが好適である。
【００４２】
図１に戻って、筐体２０は、６面体の中の前面の少なくとも一部に開口部２２を有する箱状部材である。さらに、筐体２０は、内部に収容部２４を備えている。収容部２４には、発光装置１０と、反射板セット４０が収容されている。また、筐体２０の開口部２２には、拡散板セット３０が設けられている。なお、筐体２０は、発光装置１０から発せられる光が、開口部２２以外から漏れないように、例えば、筐体２０全体が遮光性の素材で形成されていることが好ましい。
【００４３】
拡散板セット３０は、筐体２０の開口部２２を覆うように設けられた透明又は半透明の複数枚の板状部材である。詳細に、拡散板セット３０は、開口部２２側から、第１拡散板３２と、第２拡散板３４と、第３拡散板３６の３枚の拡散板を有して構成されている。また、３枚の拡散板３２〜３６は、開口部２２方向に対して積層状態に設けられている。本実施形態において、第１拡散板３２と、第２拡散板３４は、平板形状になっているが、第３拡散板３６は、開口外側に向かって凸となるように湾曲形状になっている。
【００４４】
３枚の拡散板３２〜３６は、樹脂シート（例えば、ポリカーボネート製のシート）の表面に凹凸を形成したり、樹脂シートの内部に球状のビーズを含有させたりして、光を乱反射させるものである。
【００４５】
上記の構成によって、発光装置１０から発せられたＬＥＤ光は、第１拡散板３２〜第３拡散板３６を通過する過程で、段階的に広範囲に拡散されるようになっている。また、第３拡散板３６は、外側に凸となる湾曲形状になっているため、発光装置１０から発せられたＬＥＤ光は、第３拡散板３６を通過する過程で、内側から外側に広がりながら拡散するようになっている。したがって、拡散板セット３０の第３拡散板３６は、第１拡散板３２の中央下側に設けられる発光装置１０から発せられたＬＥＤ光を、中央部から外側に広がるように拡散させ、表面の全体を均一に発光させる効果を有している。
【００４６】
また、第１拡散板３２と、第２拡散板３４の間に、ＬＥＤ光を広範囲に広げるための拡散空間３３が設けられ、また、第２拡散板３４と第２拡散板３６の間にも同様の拡散空間３５が設けられている。
【００４７】
拡散空間３３は、第１拡散板３２と第２拡散板３４の間に所定の距離を明けて設けられた空間である。つまり、第１拡散板３２を通過する過程で拡散したＬＥＤ光は、第２拡散板３４に直ぐに導入されることなく、拡散空間３３を通過することにより、より広範囲に広がった状態で第２拡散板３４に導入される。これによって、単に第１拡散板３２と第２拡散板３４を重ねて設けた場合よりも、ＬＥＤ光をより広範囲に、且つ均等に分散させることができる。
【００４８】
また、第２拡散板３４と第３拡散板３６との間にも、拡散空間３３と同様の拡散空間３５が設けられている。上記同様、第２拡散板３４を通過する過程で拡散したＬＥＤ光は、第３拡散板３６に直ぐに導入されることなく、拡散空間３５を通過することにより、より広範囲に広がった状態で第３拡散板３６に導入される。これにより、拡散板３０の拡散効果をさらに向上することができる。
【００４９】
次に、反射板セット４０は、筐体２０の収容部２４に設けられる複数枚の板状部材である。反射板セット４０は、発光装置１０の周囲に設けられた４枚の反射板４０Ａ〜Ｄから構成されている。各反射板４０Ａ〜Ｄは、発光装置１０近傍から開口部２２方向に向かって広がるように設けられている。これによって、発光装置１０の各色ＬＥＤ１３〜１９から発せられたＬＥＤ光のうち、各反射板４０Ａ〜Ｄに入光したＬＥＤ光は、所定の出力角により３枚の拡散板３２〜３６方向に反射するようになっている。なお、各反射板４０Ａ〜Ｄの入射角と反射角は、適宜決定できるものとする。
【００５０】
また、反射板４０Ａ〜Ｄは、ＬＥＤ光を受ける面が鏡面加工され、発光装置１０から発せられたＬＥＤ光を効率良く、拡散板３２〜３６方向に反射できるようになっていることが好ましい。
【００５１】
発光制御部５０は、図２に示されるように、ＣＰＵ５２と、ＲＯＭ５４と、ＲＡＭ５６と、出力部５８と、通信ポート５９とを備えて構成されている。
【００５２】
ＣＰＵ５２は、通信ポート５９を介してコンピュータ１００から受信した制御データに基づいて、ＲＯＭ５４やＲＡＭ５６から所定のＬＥＤデータを呼び出し、そのＬＥＤデータを出力部５８に出力する指令を出す。
【００５３】
ＲＯＭ５４は、各色ＬＥＤ１３〜１９に所定の色を発光させるためのＬＥＤデータが記憶されている。ＲＯＭ５４は、ＣＰＵ５２の指令に基づいて、ＬＥＤデータを出力部５８に送信する。ＬＥＤデータとは、複数種類の色のＬＥＤ（色ごとにグループ化されたＬＥＤ）の中のどの色のＬＥＤを発光させるか否かを示す情報と、発光させるＬＥＤの輝度（光の強さ）情報を含むものである。各色ＬＥＤ１３〜１９の輝度は、ＬＥＤデータにより、１００段階で調整できるようになっている。
【００５４】
ＲＡＭ５６は、データを一時的に記憶する記憶領域としての機能の他に、ＣＰＵ５２がＲＯＭ５４から呼び出したＬＥＤデータを展開する作業領域として機能する。
【００５５】
出力部５８は、ＣＰＵ５２の指令に基づいて、ＲＯＭ５４から送信されたＬＥＤデータを、各色ＬＥＤ１３〜１９を駆動するための電気信号に変換するとともに、電気信号を各色ＬＥＤ１３〜１９に出力する。
【００５６】
また、通信ポート５９は、コンピュータ１００の通信ポートと電気的に接続され、コンピュータ１００との間で制御データ等の通信を行う。なお、通信ポート５９は、ＣＰＵ５２やＲＯＭ５４、ＲＡＭ５６と電気的に接続されている。したがって、ＣＰＵ５２は、通信ポート５９を介してコンピュータ１００から受信した制御データに基づいてＲＯＭ５４からＬＥＤデータを呼び出す。そして、ＣＰＵ５２は、呼び出したＬＥＤデータを出力部５８で電気信号に変換し、その電気信号を各色ＬＥＤ１３〜１９に送信する。
【００５７】
上記の構成によって、例えば、操作者により外部から白色ＬＥＤ１９を強く発光する指令が入力された場合、ＣＰＵ５２は、ＲＯＭ５４から白色ＬＥＤ１９に出力する電気信号に対応するＬＥＤデータを読み込む。そして、ＣＰＵ５２は、ＲＯＭ５４から読み込んだＬＥＤデータをＲＡＭ５６で展開し、展開したＬＥＤデータを出力部５８に送信する。出力部５８は、送信されたＬＥＤデータに基づいて白色ＬＥＤ１９に送信する電気信号を生成する。そして、出力部５８は、生成した電気信号を白色ＬＥＤ１９に送信する。そして、白色ＬＥＤ１９は、入力された電気信号に基づいて、所定の強さの明るさで発光する。他のＬＥＤについても同様であるので、ここでは詳細な説明は省略する。
【００５８】
また、ＣＰＵ５２は、４種類のＬＥＤ１３〜１９をそれぞれ発光させるための設定値をＲＯＭ５４に記憶しており、操作者により、所定の設定値が選択された場合、選択された設定値に基づいて、ＲＯＭ５４からＬＥＤデータを呼び出すことができる。そして、ＣＰＵ５２は、設定値に基づくＬＥＤデータをＲＡＭ５６で展開し、出力部５８に送信する。出力部５８では、展開されたＬＥＤデータに基づいて各色ＬＥＤ１３〜１９に送信する電気信号を生成するとともに、各色ＬＥＤ１３〜１９に送信する。これによって、色基準表示装置１は、複数のＬＥＤ１３〜１９を発光させて、予め設定した色を正確に生成することができる。
【００５９】
上記のように、本実施形態に係る色基準表示装置１は、面状に配置された複数種類の色の光を発光する発光装置１０と、発光装置１０を収容する筐体２０と、発光装置１０の光を拡散して外部に放出する拡散板セット３０と、発光装置１０の光を拡散板セット３０方向に反射する反射板セット４０を備えている。また、発光装置１０は、赤色の光を発光できる赤色ＬＥＤ１３と、橙色の光を発光できる橙色ＬＥＤ１５と、緑色の光を発光できる緑色ＬＥＤ１７と、白色の光を発光できる白色ＬＥＤ１９から構成されている。これによって、色基準表示装置１は、各色ＬＥＤ１３〜１９を発光又は消光することによって、自動車灯火器の合格又は不合格を示す境界の色を表示することがきる。
【００６０】
また、本実施形態に係る色基準表示装置１は、各色ＬＥＤ１３〜１９を個別に制御する発光制御部５０を備えている。これにより、色基準表示装置１は、複数種類の各色ＬＥＤ１３〜１９の発光、消光や光の強さを個別に制御して、自動車灯火器の合格又は不合格を示す境界の色を正確に再現することができる。
【００６１】
また、本実施形態に係る色基準表示装置１は、前述したように、発光装置１０の前面に設けられた拡散板セット３０の中の少なくとも１枚の拡散板（本実施形態では、第３拡散板３６）が外側に凸となるように湾曲している。これによって、拡散板セット３０は、発光装置１０から発せられたＬＥＤ光を外側により広範囲に拡散することにより、表面を均等に発光することができる。
【００６２】
また、本実施形態に係る色基準表示装置１は、拡散板セット３０は、複数の拡散板（例えば、第１〜３拡散板３２〜３６）が発光装置１０の前面方向に積層されている。これによって、発光装置１０から発せられたＬＥＤ光は、複数の拡散板でより広範囲に拡散されるとともに、細かく且つ均一に拡散される。
【００６３】
また、本実施形態に係る色基準表示装置１は、赤色ＬＥＤ１３が発する光の色度座標は、ｘ＝０．６５〜０．７５、ｙ＝０．２５〜０．３５の範囲であり、前記橙色発光素子が発する光の色度座標は、ｘ＝０．５３〜０．６３、ｙ＝０．３６〜０．４６の範囲であり、前記緑色発光素子が発する光の色度座標は、ｘ＝０．１１〜０．２１、ｙ＝０．６２〜０．７２の範囲であり、前記白色発光素子が発する光の色度座標は、ｘ＝０．２５〜０．３５、ｙ＝０．２７〜０．３７の範囲としている。これにより、自動車灯火器で、特に主観的な判断が難しい、赤色と橙色の境界色、白色と橙色の境界色を表示することができる。
【００６４】
なお、本実施形態では、３枚の拡散板３２〜３６を積層状態に設ける構造としたがこれに限定されるものではなく、拡散板を４枚又は５枚を積層することにより、ＬＥＤ光をより均一に細かく拡散させる構造としても好ましい。また、拡散効果の高い拡散板（例えば、表面の凹凸が細かく形成された樹脂シート）を１枚設けるようにしても好ましい。
【００６５】
また、本実施形態では、第３拡散板３６を外側に凸となる湾曲形状としているが、第１拡散板３２又は第２拡散板３４を外側に凸となる湾曲形状としても良く、又は第１拡散板３２〜第３拡散板３６の中のいずれか２枚又は全ての拡散板を外側に凸となる湾曲形状としても好ましい。
【００６６】
また、本実施形態では、第１拡散板３２と第２拡散板３４の間、及び第２拡散板３４と第３拡散板３６の間に拡散空間３３、３５を設ける構造としたが、これに限定されるものではない。例えば、各拡散板３２〜３６の内部に拡散空間を設けても良く、拡散空間として、複数の気泡を形成するようにしても好ましい。これにより、拡散効果は損なわずに、拡散板セット３０の全体を薄くすることができる。
【００６７】
なお、本実施形態に係る色基準表示装置１は、自動車の灯火器の色（特に、赤色と橙色、白色と橙色）の境界（限度）を正確に再現することを目的としているため、上記の色度座標で表現されるＬＥＤ１３〜１９を用いたが、勿論これに限定されるものではない。つまり、ＬＥＤの色や色数や色度座標は上記に限定されるものではなく、例えば、白色ＬＥＤ１９の代わりに、青色ＬＥＤを追加しても好ましく、白色ＬＥＤ１９と青色ＬＥＤを両方とも備えるようにしても好ましい。
【００６８】
また、自動車の灯火器で使用される境界色を再現できるものであれば、ＬＥＤの配置は、上記の菱形配置に限定されるものではない。
【００６９】
例えば、ＬＥＤ１３〜１９の配置は、図７（ａ）に示されるように、縦方向及び横方向に、異なる色のＬＥＤ１３〜１９を１つずつ均等な幅で順番に並べても好ましい。また、図７（ｂ）に示されるように、縦方向及び横方向に、異なる色のＬＥＤ１３〜１９を１つずつ千鳥状に交互に並べても好ましい。なお、図７（ａ）（ｂ）において点線で示されるように、上記の各色ＬＥＤ１３〜１９の配置は、ある一定の基本単位領域Ｑにおいて、各色のＬＥＤ１３〜１９の数が等しくなるように配置されていることが好ましい。図７（ａ）では、基本単位領域Ｑに各色ＬＥＤがそれぞれ４個配置され、同図（ｂ）では、基本他院領域Ｑに各色ＬＥＤ１３〜１９がそれぞれ３個配置される構造になっている。つまり、各色ＬＥＤ１３〜１９が同じ数（均等）だけ配置された基本単位領域Ｑが複数集合し、ＬＥＤ１３〜１９ごとに光の強弱をつけて発光させることによって、図５に示される色度図中の任意の色の光を発することが可能となる。
【００７０】
＜制御方法＞
【００７１】
次に、自動車灯火用色基準表示装置の制御方法について説明する。発光制御部５０をコンピュータ１００に接続することにより、コンピュータ１００で、以下に説明する制御が行われる。なお、コンピュータ１００で以下の制御を行うために、コンピュータ１００には、予め制御プログラムをインストールし、実行しておく必要がある。
【００７２】
初めに、ステップＳ１１０では、コンピュータ１００は、発光制御部５０との通信設定を行う。具体的には、コンピュータ１００の通信ポートと発光制御部５０の通信ポート５９の初期設定や通信速度の設定を行う。
【００７３】
ステップＳ１２０では、コンピュータ１００は、コンピュータ１００の記憶領域に予め記憶されている制御データの呼び出しがあるか否かの判定を行う。制御データの呼び出しがある場合は、ステップＳ１４０に進み、呼び出しがない場合は、ステップＳ１３０に進む。
【００７４】
ステップＳ１３０では、制御データの設定を行う。具体的には、コンピュータ１００は、赤色ＬＥＤ１３の色グループ、橙色ＬＥＤ１５の色グループ、緑色ＬＥＤ１７の色グループ、白色ＬＥＤ１９の色グループの毎に、ＰＷＭ（Ｐｕｌｓｅ  Ｗｉｄｔｈ  Ｍｏｄｕｌａｔｉｏｎ）値、電流値、点灯時間等の値を設定する。なお、ＰＷＭ値は、具体的にはＬＥＤに出力するパルス電流のｄｕｔｙ比を設定することになる。
【００７５】
なお、制御データの呼び出し指示があった場合は、ステップＳ１４０に示されるように、コンピュータ１００は、自身の記憶領域（例えば、ＲＯＭ等）から指示のあった制御データを呼び出す。
【００７６】
ステップＳ１５０では、制御データの決定を行う。ステップＳ１３０により制御データが設定された場合、又はステップＳ１４０により制御データが呼び出された場合、コンピュータ１００は、その制御データを実行するための決定処理を行う。
【００７７】
ステップＳ１６０では、コンピュータ１００は、決定した制御データを通信ポートを介して発光制御部５０に送信する。
【００７８】
その後、発光制御部５０では、受信した制御データに基づいて、色ごとのＬＥＤグループを点灯するための電気信号を生成する。そして、発光制御部５０は、電気信号を色ごとのＬＥＤグループに送信することによって、色ごとのＬＥＤグループが発光するようになっている。
【００７９】
また、図９、図１０に示されるように、コンピュータ１００の液晶表示装置１２０に表示される色度図を使って、色度図における（ｘ、ｙ）値と、光の強さ（Ｌ）を直接入力できるようにしても好ましい。初めに、コンピュータ１００は、発光制御部５０との通信設定を行う。具体的には、コンピュータ１００の通信ポートの設定や通信速度の設定を行う（ステップＳ２１０）。次に、コンピュータ１００は、設定値入力部１２２、色度図部１２４、設定値確定（表示）ボタン１２６、出力値表示部１２８を液晶表示部１２０に表示する（ステップＳ２２０）。また、色度図１２４には、灯火器の発光色の合格範囲である、白色合格範囲Ｍ、赤色合格範囲Ｎ、橙色合格範囲Ｐが表示されている。そして、コンピュータ１００は、操作者により、液晶表示装置１２０の設定値入力部１２２に色度図のｘ、ｙ座標値（ｘ）、（ｙ）と光の強さ（Ｌ）が入力されるのを待つ（ステップＳ２３０）。そして、コンピュータ１００は、設定値確定ボタン１２６が押されたことに基づいて、入力された設定値に対応する色を色度図部１２４に表示されている色度図の中に表示（プロット）する（ステップＳ２４０）。同時にコンピュータ１００は、入力されたｘ、ｙ、Ｌの値に基づいて、赤色（Ｒ）ＬＥＤ１３、橙色（Ｙ）ＬＥＤ１５、緑色（Ｇ）ＬＥＤ１７、白色（Ｗ）ＬＥＤ１９の各色グループごとのｄｕｔｙ比（具体的には、前述したＰＷＭ値）の算出を行う（ステップＳ２５０）。ステップＳ２５０で算出した結果、ｄｕｔｙ比が表示可能範囲を超えている場合（エラーの場合）は、ステップＳ２２０に戻って、再度ｘ、ｙ、Ｌの設定が行われるのを待つ。そして、ステップＳ２５０で算出した結果、エラーでない場合、コンピュータ１００は、決定した制御データを通信ポートを介して発光制御部５０に送信する（ステップＳ２６０）。
【００８０】
上述したように、操作者は、表示されている色度図を見ながら発光色の設定を行えるので、任意の色を直観的に設定することができる。
【００８１】
なお、発光色の設定は、設定値入力部１２２に数値で入力する方法に限られるものではなく、例えば、色度図部１２４にカーソル１２９を合わせて発光色を決定できるようにしても好ましい。上記と同様、色度図１２４には、灯火器の発光色の合格範囲である、白色合格範囲Ｍ、赤色合格範囲Ｎ、橙色合格範囲Ｐが表示されている。操作者は、各合格範囲Ｍ、Ｎ、Ｐを見ながら、色基準表示装置１のＬＥＤ１３〜１９で表示する発光色を決定することができる。例えば、前照灯の合否判断の境界を確認するために、白色合格範囲Ｍ内の境界近傍にカーソル１２９を合わせて発光色（設定値１）を決定したり、白色合格範囲Ｍから僅かに外れた境界近傍にカーソル１２９を合わせて発光色（設定値２）を決定することができる。上記と同様に、コンピュータ１００は、カーソル操作で設定された設定値１や２に対応するｘ、ｙ、Ｌ値に基づいて、赤色（Ｒ）ＬＥＤ１３、橙色（Ｙ）ＬＥＤ１５、緑色（Ｇ）ＬＥＤ１７、白色（Ｗ）ＬＥＤ１９の各色グループごとのｄｕｔｙ比（具体的には、前述したＰＷＭ値）の算出を行う。そして、コンピュータ１００は、算出されたｄｕｔｙ比に基づいて決定した制御データを通信ポートを介して発光制御部５０に送信する。
【００８２】
なお、上記の液晶表示装置１２０、コンピュータ１００は、本発明の表示装置、制御部を構成する。また、上記の設定値入力部１２２、色度図部１２４、設定値確定（表示）ボタン１２６、出力値表示部１２８は、本発明の設定画面を構成する。また、上記のカーソル１２９により色度図部１２４の中から任意の色を選択する手段は、本発明の選択手段を構成する。また、上記の白色合格範囲Ｍ、赤色合格範囲Ｎ、橙色合格範囲Ｐは、本発明の合否範囲を構成する。
【００８３】
前述した設定値入力部１２２に数値を直接入力する方法では、設定値１や２のような境界色を入力するのに時間がかかったが、このようにすることにより、色度図１２４を目視で見ながら、合否判断が難しい境界色を容易に設定することができる。
【００８４】
次に、本発明の第２実施形態に係る自動車灯火用色基準表示装置１００について説明する。自動車灯火用色基準表示装置１００は、図１１（ａ）〜（ｃ）に示されるように、反射板１４０及び拡散板セット１６０が円形に形成され、拡散板セット１６０の上面１６０Ａ全体をムラなく発色させることができるところに特徴がある。なお、発光装置１０、筺体２０やその他の装置、ＬＥＤ１３〜１９の配列、発光制御方法などは、第１実施形態に係る対応する各装置等とほぼ同じであるので、一部を除き、図示および詳細な説明は省略する。
【００８５】
第２実施形態に係る発光装置１０のＬＥＤ１３〜１９は、第１実施形態と同じ配列順序で環状配置されている。このようにＬＥＤ１３〜１９は、環状（円形）に配置されることで、円形に形成された反射板１４０に向けて環状に光を発光することができる。
【００８６】
また、発光装置１０の上方に配置されている反射板１４０は、内壁側が反射面となるように形成された筒状部材である。反射板１４０は、筒状の一端側が発光装置１０近傍に位置し、他端側は筺体２０の開口部２２近傍に位置するように設けられている。これにより、反射板１４０は、発光装置１０の近傍に配置された一端側から、各ＬＥＤ１３〜１９が発光した光を筒内部に導入し、導入した光を内壁で反射させながら開口部２２側に配置された他端側から出力することができる。さらに反射板１４０は、発光装置１０側から開口部２２側に向かって広がるように形成されているので、各ＬＥＤ１３〜１９から発光した光をより広範囲に出力することができる。
【００８７】
また、反射板１４０の開口部２２側の端部には、円盤状の拡散板セット１６０が接続されている。拡散板セット１６０は、透明又は半透明の樹脂で円盤状に成形され、円形に形成された筺体２０の開口部２２を塞ぐように設けられている。
【００８８】
拡散板セット１６０は、発光装置１０側から第１拡散板１６２、第２拡散板１６４、第３拡散板１６６の順番で積層状態で設けられている。
【００８９】
第１拡散板１６２及び第２拡散板１６４は両面が平らな円盤状となっている。また、開口部２２に対して最も外側に配置される第３拡散板１６６は、開口外側に向かって凸となるように湾曲形状になっている。なお、本実施形態では、第３拡散板１６６が開口外側に凸となる湾曲形状としたが、第１拡散板１６２または第２拡散板１６４が開口外側に凸となるように湾曲形状にしても好ましい。また、上記のように各拡散板の上面を開口外側に凸形状に湾曲させるのではなく、上面と反対側となる底面を開口外側に凹形状となるように湾曲させても好ましい。拡散板セット１６０の、その他の構成や機能については第１実施形態と同じであるので、ここでの説明は省略する。
【００９０】
なお、第１拡散板１６２と第２拡散板１６４との間には、第１拡散板１６２を通過した光を広範囲に拡散させる拡散空間１６３が形成され、第２拡散板１６４と第３拡散板１６６との間にも、第２拡散板１６４を通過した光を広範囲に拡散させる拡散空間１６５が設けられている。なお、拡散空間１６３および１６５の機能や効果については、第１実施形態で説明した拡散空間３３、３５と同じであるので詳細な説明は省略する。
【００９１】
上記のように、自動車灯火用色基準表示装置１００は、ＬＥＤ１３〜１９が環状に配置されるとともに、反射板１４０や拡散板セット１６０が円筒状および円盤状に形成されているので、ＬＥＤ１３〜１９から発した光が反射板１４０の周縁まで万遍無く行き届き、拡散板セット１６０の上面１６０Ａをムラなく光らせることができる。
【００９２】
なお、拡散板や反射板の形状は上記の実施形態に限定されるものではなく、楕円形や６角形や８角形等の多角形になるように配置しても好ましい。また、拡散板セット１６０の形状は、第１実施形態の拡散板セット３０と同様に矩形としても好ましい。
【００９３】
尚、本発明の自動車灯火用色基準表示装置は、上記した実施の形態に限定されるものではなく、本発明の要旨を逸脱しない範囲内において種々変更を加え得ることは勿論である。
【産業上の利用可能性】
【００９４】
本発明の自動車灯火用色基準表示装置は、任意の色を数値により定量的に表示する表示装置の分野に幅広く利用することができる。
【符号の説明】
【００９５】
１      自動車灯火用色基準表示装置
１０    発光装置
１３    赤色ＬＥＤ
１５    橙色ＬＥＤ
１７    緑色ＬＥＤ
１９    白色ＬＥＤ
２０    筐体
３０    拡散板セット
３２    第１拡散板
３４    第２拡散板
３６    第３拡散板
４０    反射板セット
４０Ａ〜Ｄ  反射板
５０    発光制御部
１００  コンピュータ
１２０  液晶表示装置
Ｋ    発色可能範囲
Ｍ    白色合格範囲
Ｎ    赤色合格範囲
Ｐ    橙色合格範囲
【図１】
2011095113.tif 000005
【図２】
2011095113.tif 000006
【図３】
2011095113.tif 000007
【図４】
2011095113.tif 000008
【図５】
2011095113.tif 000009
【図６】
2011095113.tif 000010
【図７】
2011095113.tif 000011
【図８】
2011095113.tif 000012
【図９】
2011095113.tif 000013
【図１０】
2011095113.tif 000014
【図１１】
2011095113.tif 000015